(57)【特許請求の範囲】
【請求項１】
ホストコンピュータと、このホストコンピュータと通信回線を介して接続される複数のカラオケ端末とからなる通信カラオケシステムにおいて、
前記ホストコンピュータは、
情報提示用の画像情報またはカラオケの演奏情報の少なくともいずれか一方を含む情報ファイルを複数記憶する第１の記憶手段と、前記第１の記憶手段に記憶された前記情報ファイルを前記各カラオケ端末に配信する配信手段とを具備し、
前記各情報ファイルには、他の情報ファイルとの連結関係を情報提示期間を分割した時間範囲との対応関係によって示す時間管理情報が含まれており、
前記カラオケ端末は、
前記ホストコンピュータから供給される情報ファイル群を受信する受信手段と、前記受信手段が受信した情報ファイル群を記憶する第２の記憶手段と、前記第２の記憶手段から前記情報ファイル群のうち指定された情報ファイルを読み出す読出手段と、前記読出手段が読み出した情報ファイルの内容を解読し、該ファイルに含まれる情報をその種別に対応した出力先に出力する解読手段と、前記解読手段から供給されるカラオケの演奏情報に基づき楽音を合成し、該合成音とマイクから入力される音声とを混合して出力するカラオケ演奏手段と、前記解読手段から供給される情報提示用の画像情報に基づき、操作者に対して情報を提示する表示手段と、前記表示手段による画像情報の表示時間を計時する計時手段と、操作者による入力操作に応じた信号を発生する入力手段と、前記計時手段の計時値に基づき、前記入力手段による信号の発生タイミングが前記解読手段から供給される時間管理情報が示す何れの時間範囲に属するかを検出し、該当する時間範囲の情報ファイル内の時間管理情報によって連結関係が示される他の情報ファイルを、次に読み出すべきファイルとして前記読出手段に指示する指定手段とを具備することを特徴とする通信カラオケシステム。
【請求項２】
ホストコンピュータと、このホストコンピュータと通信回線を介して接続される複数のカラオケ端末とからなる通信カラオケシステムにおいて、
前記ホストコンピュータは、
情報提示用の画像情報またはカラオケの演奏情報の少なくともいずれか一方を含む情報ファイルを複数記憶する第１の記憶手段と、前記第１の記憶手段に記憶された前記情報ファイルを前記各カラオケ端末に配信する配信手段とを具備し、
前記各情報ファイルには、他の情報ファイルとの連結関係を情報提示期間を分割した時間範囲との対応関係によって示す時間管理情報が含まれており、
前記カラオケ端末は、
前記ホストコンピュータから供給される情報ファイル群を受信する受信手段と、前記受信手段が受信した情報ファイル群を記憶する第２の記憶手段と、前記第２の記憶手段から前記情報ファイル群のうち指定された情報ファイルを読み出す読出手段と、前記読出手段が読み出した情報ファイルの内容を解読し、該ファイルに含まれる情報をその種別に対応した出力先に出力する解読手段と、前記解読手段から供給されるカラオケの演奏情報に基づき楽音を合成し、該合成音とマイクから入力される音声とを混合して出力するカラオケ演奏手段と、前記解読手段から供給されるが情報が楽曲情報である場合には該楽曲情報に含まれる歌詞情報を読み出し、提示情報である場合には該提示情報に含まれるテキスト情報を読み出す制御手段と、フォント情報を記憶するフォント情報記憶手段と、前記制御手段によって読み出された歌詞情報あるいはテキスト情報に対応した前記フォント情報に基づいて文字を表示する表示手段と、前記表示手段による画像情報の表示時間を計時する計時手段と、操作者による入力操作に応じた信号を発生する入力手段と、前記計時手段の計時値に基づき、前記入力手段による信号の発生タイミングが前記解読手段から供給される時間管理情報が示す何れの時間範囲に属するかを検出し、該当する時間範囲の情報ファイル内の時間管理情報によって連結関係が示される他の情報ファイルを、次に読み出すべきファイルとして前記読出手段に指示する指定手段とを具備することを特徴とする通信カラオケシステム。
【請求項３】
請求項１または２に記載の通信カラオケシステムにおいて、前記情報ファイルは、各々が共通のファイル形式で記述されていることを特徴とする通信カラオケシステム。
【発明の詳細な説明】
【０００１】
【産業上の利用分野】
この発明は、カラオケの演奏の合間にＣＭ（コマーシャルメッセージ）を放映する通信カラオケシステムに関する。
【０００２】
【従来の技術】
周知のように、センタ局のホストコンピュータからカラオケスナック等の各店舗に設置されたカラオケ端末にカラオケの演奏情報を通信回線を介して供給する通信カラオケシステムが広く普及している。特に、近年においては、曲の演奏の合間の時間を利用して、センタ局から供給されたＣＭ情報を再生しこれを放映する通信カラオケシステムが知られており、カラオケ演奏の合間に流されるＣＭによって新譜紹介やその他種々の情報が利用者に提供されるようになっている。
【０００３】
【発明が解決しようとする課題】
ところが、従来の通信カラオケシステムが提供するＣＭ放映は、個々の利用者の興味とは無関係に、単に予め決められた情報を一方的に流すのみであった。このため、利用者が自分の興味や要求に合った情報を選択することができず、また、その時に放映されている内容について利用者がより詳しい情報を入手したい場合でもそれを応えることができなかった。
【０００４】
この発明は、このような背景の下になされたもので、カラオケの演奏の合間に放映されるＣＭにおいて操作者が対話形式によって所望の情報を選択し入手することができる通信カラオケシステムを提供することを目的としている。
【０００５】
【課題を解決するための手段】
上述した課題を解決するために、請求項１記載の発明は、ホストコンピュータと、このホストコンピュータと通信回線を介して接続される複数のカラオケ端末とからなる通信カラオケシステムにおいて、前記ホストコンピュータは、情報提示用の画像情報またはカラオケの演奏情報の少なくともいずれか一方を含む情報ファイルを複数記憶する第１の記憶手段と、前記第１の記憶手段に記憶された前記情報ファイルを前記各カラオケ端末に配信する配信手段とを具備し、前記各情報ファイルには、他の情報ファイルとの連結関係を情報提示期間を分割した時間範囲との対応関係によって示す時間管理情報が含まれており、
前記カラオケ端末は、前記ホストコンピュータから供給される情報ファイル群を受信する受信手段と、前記受信手段が受信した情報ファイル群を記憶する第２の記憶手段と、前記第２の記憶手段から前記情報ファイル群のうち指定された情報ファイルを読み出す読出手段と、前記読出手段が読み出した情報ファイルの内容を解読し、該ファイルに含まれる情報をその種別に対応した出力先に出力する解読手段と、前記解読手段から供給されるカラオケの演奏情報に基づき楽音を合成し、該合成音とマイクから入力される音声とを混合して出力するカラオケ演奏手段と、前記解読手段から供給される情報提示用の画像情報に基づき、操作者に対して情報を提示する表示手段と、前記表示手段による画像情報の表示時間を計時する計時手段と、操作者による入力操作に応じた信号を発生する入力手段と、前記計時手段の計時値に基づき、前記入力手段による信号の発生タイミングが前記解読手段から供給される時間管理情報が示す何れの時間範囲に属するかを検出し、該当する時間範囲の情報ファイル内の時間管理情報によって連結関係が示される他の情報ファイルを、次に読み出すべきファイルとして前記読出手段に指示する指定手段とを具備することを特徴とする。
【０００６】
また、請求項２記載の発明は、ホストコンピュータと、このホストコンピュータと通信回線を介して接続される複数のカラオケ端末とからなる通信カラオケシステムにおいて、
前記ホストコンピュータは、情報提示用の画像情報またはカラオケの演奏情報の少なくともいずれか一方を含む情報ファイルを複数記憶する第１の記憶手段と、前記第１の記憶手段に記憶された前記情報ファイルを前記各カラオケ端末に配信する配信手段とを具備し、
前記各情報ファイルには、他の情報ファイルとの連結関係を情報提示期間を分割した時間範囲との対応関係によって示す時間管理情報が含まれており、前記カラオケ端末は、前記ホストコンピュータから供給される情報ファイル群を受信する受信手段と、前記受信手段が受信した情報ファイル群を記憶する第２の記憶手段と、前記第２の記憶手段から前記情報ファイル群のうち指定された情報ファイルを読み出す読出手段と、前記読出手段が読み出した情報ファイルの内容を解読し、該ファイルに含まれる情報をその種別に対応した出力先に出力する解読手段と、前記解読手段から供給されるカラオケの演奏情報に基づき楽音を合成し、該合成音とマイクから入力される音声とを混合して出力するカラオケ演奏手段と、前記解読手段から供給されるが情報が楽曲情報である場合には該楽曲情報に含まれる歌詞情報を読み出し、提示情報である場合には該提示情報に含まれるテキスト情報を読み出す制御手段と、フォント情報を記憶するフォント情報記憶手段と、前記制御手段によって読み出された歌詞情報あるいはテキスト情報に対応した前記フォント情報に基づいて文字を表示する表示手段と、前記表示手段による画像情報の表示時間を計時する計時手段と、操作者による入力操作に応じた信号を発生する入力手段と、前記計時手段の計時値に基づき、前記入力手段による信号の発生タイミングが前記解読手段から供給される時間管理情報が示す何れの時間範囲に属するかを検出し、該当する時間範囲の情報ファイル内の時間管理情報によって連結関係が示される他の情報ファイルを、次に読み出すべきファイルとして前記読出手段に指示する指定手段とを具備することを特徴とする。
また、請求項３記載の発明は、請求項１または２に記載の通信カラオケシステムにおいて、前記情報ファイルは、各々が共通のファイル形式で記述されていることを特徴とする。
【０００７】
【作用】
請求項１記載の発明によれば、ホストコンピュータから各カラオケ端末へ情報ファイル群が配信され、カラオケ端末においては、受信手段が、上記情報ファイル群を受信し、第２の記憶手段が、該情報ファイル群を記憶し、読出手段が、第２の記憶手段から上記情報ファイル群のうち指定された情報ファイルを読み出し、解読手段が、この情報ファイルの内容を解読して該ファイルに含まれる情報をその種別に対応した出力先に出力し、カラオケ演奏手段が、解読手段から供給されるカラオケの演奏情報に基づき楽音を合成し該合成音とマイクから入力される音声とを混合して出力し、表示手段が、解読手段から供給される情報提示用の画像情報に基づき操作者に対して情報を提示し、計時手段が、表示手段による画像情報の表示時間を計時し、入力手段が、操作者による入力操作に応じた信号を発生し、指定手段が、計時手段の計時値に基づき入力手段による信号の発生タイミングが解読手段から供給される時間管理情報が示す何れの時間範囲に属するかを検出し、次に読み出すべき情報ファイルを読出手段に指定する。
これにより、操作者が入力操作をしたときに表示手段に表示されている情報に関連した情報ファイルが実行され、上記表示されていた情報に関連する情報がさらに提示される。また、例えば操作者が入力操作をしたときに表示手段に表示されている曲の紹介情報に対応する情報ファイルが実行され、その曲のカラオケ演奏が行われる。
【０００８】
また、請求項２記載の発明によれば、ホストコンピュータから各カラオケ端末へ情報ファイル群が配信され、カラオケ端末においては、受信手段が、上記情報ファイル群を受信し、第２の記憶手段が、該情報ファイル群を記憶し、読出手段が、第２の記憶手段から上記情報ファイル群のうち指定された情報ファイルを読み出し、解読手段が、この情報ファイルの内容を解読して該ファイルに含まれる情報をその種別に対応した出力先に出力し、カラオケ演奏手段が、解読手段から供給されるカラオケの演奏情報に基づき楽音を合成し該合成音とマイクから入力される音声とを混合して出力し、制御手段が、解読手段から供給される情報ファイルの内容が楽曲情報である場合には該楽曲情報に含まれる歌詞情報を読み出して、該歌詞情報に対応するフォントに基づいて歌詞を示す文字を表示手段に表示する。情報ファイルの内容が提示情報である場合には該提示情報に含まれるテキスト情報を読み出して、該テキスト情報に対応するフォントに基づいて提示情報を示す文字を表示手段に表示する。
このようにして操作者に対して情報を提示し、計時手段が、表示手段による文字情報の表示時間を計時し、入力手段が、操作者による入力操作に応じた信号を発生し、指定手段が、計時手段の計時値に基づき入力手段による信号の発生タイミングが解読手段から供給される時間管理情報が示す何れの時間範囲に属するかを検出し、次に読み出すべき情報ファイルを読出手段に指定する。
これにより、操作者が入力操作をしたときに表示手段に表示されている情報に関連した情報ファイルが実行され、上記表示されていた情報に関連する情報がさらに提示される。また、例えば操作者が入力操作をしたときに表示手段に表示されている曲の紹介情報に対応する情報ファイルが実行され、その曲のカラオケ演奏が行われる。
【０００９】
【実施例】
以下、図面を参照して、この発明の実施例について説明する。
Ａ：実施例の構成
（１）全体構成
図１はこの発明の一実施例による通信カラオケシステムの構成を示すブロック図である。図１において、１はホストコンピュータであり、２，２，……はホストコンピュータ１と通信回線Ｎを介して接続される複数のカラオケ端末である。ホストコンピュータ１は、後述する情報ファイル群を各カラオケ端末２，２，……に定期的に配信し、各々のカラオケ端末２は、これら情報ファイルを実行することによって操作者との対話形式で各種情報を提供するようになっている。
【００１０】
（２）情報ファイルの内容
図２は、本実施例の情報ファイル群に含まれる各種情報の内容を示す概念図である。同図に示すように、情報ファイル群には、カラオケの演奏に必要な演奏情報（ＭＩＤＩ情報）と曲の歌詞を表示するための歌詞情報を含む楽曲情報、動画のＣＭ（コマーシャルメッセージ）を表示するためのアニメーション情報、ＣＭに音声を付すためのＡＤＰＣＭ情報、各種情報画面の表示中に流されるＢＧＭ（バックグラウンドミュージック）の演奏に必要なＢＧＭ情報（ＭＩＤＩ情報）、各々の情報ファイルの動作内容を示す機能情報、画面にアイコンのグラフィックを表示させるためのボタン情報、情報ファイル間の関係を定義するためのリンク情報、時間管理情報（後述する）等が含まれている。
【００１１】
本実施例では、このような各種情報を含む情報ファイル群を実行することによってカラオケの演奏、ＣＭの放映、情報選択メニューの表示等が行われるようになっており、情報ファイル群を構成する各情報ファイルは、全て図３に示す共通のフォーマットで記述されている。
【００１２】
すなわち、各々の情報ファイルは、テキスト領域ＴＥ、アイコングラフィック領域ＩＥ、画面グラフィック領域ＧＥ、およびアクション領域ＡＥからなっており、テキスト領域ＴＥには、その情報ファイルのタイトルを示すテキスト情報が記述され、アイコングラフィック領域ＩＥには、その情報ファイルが選択された場合に画面に表示すべきアイコンの画像情報が記述され、画面グラフィック領域ＧＥには、その情報ファイルが選択された場合に画面に表示すべき絵や写真等の画像情報が記述され、さらにアクション領域ＡＥには、その情報ファイルにて実行すべき処理内容が記述されている。
【００１３】
例えば、カラオケの楽曲情報に関する情報ファイルの場合、テキスト領域ＴＥには曲のタイトルが記述され、アイコングラフィック領域ＴＥには通常何も記述されておらず、画面グラフィック領域ＧＥには曲のタイトルをグラフィック表示するための画像情報が記述され、さらにアクション領域ＡＥには、曲を演奏する際の楽音合成に必要なＭＩＤＩ情報および演奏中に歌詞を表示するのに必要な歌詞情報等が記述されている。
【００１４】
また、情報選択メニューに関する情報ファイルの場合、テキスト領域ＴＥにはメニュー画面に表示すべきタイトルが記述され、アイコングラフィック領域ＴＥにはメニュー選択や各種入力操作を受け付けるアイコンの画像情報が記述され、画面グラフィック領域ＧＥには絵や写真等の画像情報が記述され、さらにアクション領域ＡＥには、メニューの表示、情報表示、ＢＧＭの演奏の他、メニュー選択や各種入力操作の解釈等に関する情報が記述されている。
【００１５】
本実施例では、このような各種情報ファイルが各々のアクション領域ＡＥに記述された情報によって互いにリンクされている。例えば、情報選択メニューに関する情報ファイルの場合、図４に示すように情報ファイル間のリンク構造が構成されている。すなわち、メインメニューの情報ファイルｆ１においては、そのアクション領域ＡＥにメインメニュー（すなわち情報レベル１のメニュー）を構成する各タイトル（テキストあるいはアイコン）を所定の順序で所定の場所に表示するという実行情報が記述されている。
【００１６】
上記メインメニューにおいて、例えば「コンサート情報」のタイトル（テキストあるいはアイコン）が選択されると、この「コンサート情報」に対応する情報ファイルｆ２が実行される。この情報ファイルｆ２のアクション領域ＡＥには、コンサートに関するサブメニュー（すなわち情報レベル２のメニュー）を構成する各タイトルを所定の順序で所定の場所に表示するという実行情報が記述されている。
【００１７】
上記サブメニューにおいて、例えば「沢田知可代」というアーティストが選択されると、この「沢田知可代」に対応した情報ファイルｆ３が実行される。この情報ファイルｆ３のアクション領域ＡＥには、「沢田知可代」のコンサートのチケットの注文を受け付けるアイコンの表示とその注文があったときに実行すべき情報ファイルを指示する情報が記述されている。
【００１８】
上記アイコンの選択によりチケットの注文が指示されると、「沢田知可代」のコンサートのチケットの注文に関する情報ファイルｆ４が実行される。この情報ファイルｆ４のアクション領域ＡＥには、ホストコンピュータ１に対する予約状況の問い合わせ、予約処理の依頼等の処理内容を示すが情報が記述されている。このような情報ファイルのリンク構造によって、後述する操作者との対話形式による情報の提供が実現される。
【００１９】
（３）カラオケ端末の構成
次に、図５を参照し、カラオケ端末２の構成について説明する。
図５において、２１はモデムあるいはＩＳＤＮ（Integrated Sarvices Digital Network）等の通信インタフェースであり、ホストコンピュータ１と通信回線Ｎを介して接続されている。２２はＣＰＵ（中央処理装置）であり、ＲＯＭ（読み出し専用メモリ）２３に記憶されたシステムプログラムを実行し、バスＢＵＳを介して接続される装置各部を制御する。また、ＣＰＵ２２は、上述した情報ファイルを実行し、後述するカラオケの演奏やＣＭ放映等の情報の提示を行う。
【００２０】
２４はハードディスクであり、ホストコンピュータ１から供給される情報ファイル群が格納される。また、２５はＲＡＭ（読み書き可能メモリ）であり、ＣＰＵ２２のワークエリアとして用いられる。
【００２１】
また、２６は操作パネルであり、操作者による各種キースイッチ（スタートキー、取り消しキー、アップダウンキー、テンキー等）の押圧操作を検出し、該操作に対応した信号をＣＰＵ２２へ供給する。この操作パネル２６においては、選曲（すなわち曲番号の入力）、演奏の開始および中止、ボリューム等のカラオケの演奏のための指示操作の他、ディスプレイ３４に表示される情報選択メニューの選択等が行われる。
【００２２】
また、２７は楽音合成装置であり、ＣＰＵ２２によって逐次供給されるＭＩＤＩ情報（情報ファイルに含まれるカラオケまたはＢＧＭの演奏情報）に対応した楽音信号を生成し、これをミキサ２８へ出力する。ミキサ２８は、楽音合成装置２７から供給される楽音信号とマイク２９より取り込まれる音声信号とを混合し、これをサウンドシステム３０へ出力する。ただし、ＢＧＭ演奏の場合、ミキサ２８は、楽音合成装置２７から供給される楽音信号をそのままサウンドシステム３０へ出力する。
【００２３】
また、３１は音声デコーダであり、ＣＰＵ２２によって情報ファイルから読み出されるＡＤＰＣＭ情報をアナログの音声信号に変換し、これをサウンドシステム３０へ出力する。サウンドシステム３０は、ミキサ２８から供給される楽音信号または音声デコーダから供給される音声信号を増幅し、これをスピーカＳＰより放音させる。
【００２４】
次に、３２は画像再生装置であり、再生を指示されたカラオケの情報ファイルに対応した背景画像の画像情報をＣＤ−ＲＯＭ３３から読み出し、これを画像合成装置３４へ転送する。画像合成装置３４は、画像再生装置３２から供給される画像情報とＣＰＵ２２によってカラオケの情報ファイルから読み出される歌詞情報に対応したフォント情報（このフォント情報は、画像合成装置３４に記憶されている。）とを合成し、これをディスプレイ３５に表示させる。
【００２５】
また、３６は画像デコーダであり、ＣＰＵ２２によって情報ファイルから読み出されるＣＭの動画やメニュー、アイコン等の静止画の圧縮画像情報（ＭＰＥＧ、ＪＰＥＧ等に準拠した画像情報）を解凍してアナログの映像信号に変換し、これをディスプレイ３５に表示させる。
【００２６】
Ｂ：実施例の動作
次に、上記構成からなる通信カラオケシステムの動作を説明する。
ただし、以下では、ホストコンピュータ１からカラオケ端末２に情報ファイル群が既に供給されていることを前提として、カラオケ端末２の動作を中心に説明を進める。
【００２７】
まず、カラオケ端末２に電源が投入されると、ＣＰＵ２２はＲＯＭ２３からシステムプログラムをロードし、これを実行する。これにより、ＣＰＵ２２は、各種初期設定を行った後、ハードディスク２４に格納された情報ファイル群のうちメインメニューの情報ファイルｆ１（図４参照）を読み出し、これを実行する。
【００２８】
この結果、図６（ａ）に示すメインメニュー画面がディスプレイ３５に表示される。すなわち、情報ファイルｆ１のテキスト領域ＴＥのタイトル情報に基づき、「ようこそインフォワールドへ！」というメインメニューのタイトルが表示され、アクション領域ＡＥに記述されたタイトル表示プログラムに基づき、情報レベル１の情報ファイルのテキスト部分、すなわち「コンサート情報」、「映画情報」、「ステージ情報」等の各種情報に対応した情報ファイルのタイトル（この場合、テキストのみ）が表示される。また、アクション領域ＡＥには、画面を構成する要素を所定の位置に描画するプログラムも記述されており、画面グラフィック領域ＧＥの画像情報に基づき、メニューの選択操作を案内するためのアイコンＩＣ１，ＩＣ２および図示ＰＣのような絵が表示される。
【００２９】
上記アイコンＩＣ１，ＩＣ２の案内に基づき、操作者が操作パネル２６のアップダウンキー（図示略）を押圧することにより、画面に表示されたメニュー選択用のポインタＰＰ（カーソル）が上下に移動し、同じく操作パネル２６のスタートキーを押圧することにより、メニューの選択が確定する。また、操作パネル２６の取り消しキーを押圧することにより、当該情報ファイルｆ１の実行が中断される。メニューが一画面に収まらない場合には、アップダウンキーのダウン側の押圧を繰り返すことにより、図６（ｂ）に示すように画面がスクロールし、他のメニューが表示される。
【００３０】
（１）コンサート情報
このメインメニュー画面において、例えば「コンサート情報」のメニューにポインタＰＰの位置を合わせ、スタートキーを押圧すると、情報ファイルｆ１のアクション領域ＡＥに記述されたリンク情報に基づき、「コンサート情報」の情報ファイルｆ２（図４参照）が実行される。つまり、リンク情報には、その情報ファイルによって表示されたタイトルの選択結果と各々のタイトルが選択されたときに実行すべき情報ファイルの対応関係が示されている。
【００３１】
この結果、コンサート情報のタイトル（テキスト）情報によって表示された「コンサート情報」なるテキストが選択され、実行が指定された場合、図７（ａ）に示す「コンサート情報」のメニュー画面がディスプレイ３５に表示される。すなわち、情報ファイルｆ２のテキスト領域ＴＥのタイトル情報に基づき、「コンサート情報」のメニュー画面のタイトルが表示され、アクション領域ＡＥに記述されたタイトル表示プログラムに基づき、情報レベル２の情報ファイルのテキスト部分、すなわち「ＧＯＡ」、「松ノ谷由美」、「ｔｓｆ」等のコンサートが予定されているアーティスト名が表示される。また、上記メインメニューの場合と同様、メニューの選択操作を案内するためのアイコンＩＣ１，ＩＣ２とポインタＰＰが表示される。
【００３２】
ここで、例えば、「沢田知可代」のメニューにポインタＰＰの位置を合わせ、スタートキーを押圧すると、情報ファイルｆ２のアクション領域ＡＥに記述されたリンク情報に基づき、「沢田知可代」のコンサート情報に関する情報ファイルｆ３（図４参照）が実行される。この結果、図７（ｂ）に示す「沢田知可代」のコンサート情報のＣＭ画面がディスプレイ３５に表示される。すなわち、情報ファイルｆ３のテキスト領域ＴＥのタイトル情報に基づき、アーティスト名「沢田知可代」が表示され、また、画面グラフィック領域ＧＥの画像情報に基づき、アーティスト「沢田知可代」の写真（あるいは似顔絵）やイラスト、およびコンサートのチケットを予約を受け付けるためのアイコンＩＣ３が表示され、さらに、アクション領域ＡＥに記述されたテキスト情報に基づき、開催予定のコンサートに関する詳細な情報が表示される。
【００３３】
ここで、例えば、スタートキー等の予め定義された予約指示キーを押圧すると、情報ファイルｆ３のアクション領域ＡＥに記述されたリンク情報に基づき、「沢田知可代」のコンサートのチケット予約に関する情報ファイルｆ４（図４参照）が実行される。この結果、当該カラオケ端末２からコンサートのチケット予約を管理するホストコンピュータ１に発呼がかかり、予約状況の問い合わせと予約処理が自動的に行われる。そして、ホストコンピュータ１から予約結果を示す情報が返送されると、予約ができたか否かを操作者に報知するメッセージがディスプレイ３５に表示される。
【００３４】
こうして、操作者は、コンサートに関する所望の情報をメニューの選択操作による対話形式によって入手でき、しかもチケットの予約までも行うことが可能になる。
【００３５】
（２）新製品情報
次に、前述のメインメニュー画面（図６（ａ）参照）において、「新製品情報」のメニューが選択された場合について説明する。この場合、「新製品情報」というテキスト情報をもつ情報ファイルが実行され（テキスト表示した時点でリンク情報はメニュープログラムが記憶する）、図示しない製品ジャンルのサブメニュー画面が表示される。ここで、例えば、「クルマ」という製品ジャンルを選択すると、「クルマ」のＣＭの動画情報に関する情報ファイルが実行される。
【００３６】
これにより、情報ファイルに含まれる動画情報が画像デコーダ３６に逐次供給され、図８に示すように、「クルマ」の新製品を紹介するＣＭがディスプレイ３５に表示される。また、このとき、このファイルとは別のさらに詳しい情報ファイルに含まれるアイコンの画像情報に基づき、スタートキーの押圧を案内するアイコンＩＣ４が併せてディスプレイ３５に表示される。
【００３７】
ここで、操作者がスタートキーを押圧すると、そのときに表示されている車種についてのより詳しい情報を含む情報ファイルがさらに実行され、その車種についての詳細な情報を提供するＣＭ（動画または静止画）が表示される。
【００３８】
つまり、ＣＭで紹介すべき車種が複数存在する場合には、ＣＭの放映時間を所定のタイムスロット（すなわち、時間範囲）で区切り、このタイムスロットを単位として紹介される車種が順次切り替わる。一方、スタートキーの押圧を案内するアイコンは常時表示されている（ただし、車種毎の情報ファイルのアイコン情報によってアイコンの絵柄が異なる場合もある。）。このため、スタートキーの押圧操作と選択される車種との対応をとるべく、「クルマ」のＣＭに関する情報ファイルのアクション領域には、ＣＭの放映時間のタイムスロットと各々の車種の詳細情報に関する情報ファイルとの対応関係が時間管理情報（図２参照）として記述されている。
【００３９】
これにより、ＣＰＵ２２は、スタートキーの押圧タイミングがどのタイムスロットに属するかを図示しないタイマ（ソフトウェアタイマ）のカウント値に基づき検出し、そのタイムスロットに対応する車種の詳細情報に関する情報ファイルを実行する。この結果、スタートキーが押圧されたときに表示されていた車種の詳細情報を提供することが可能となる。
【００４０】
（３）カラオケの演奏
次に、前述のメインメニュー画面（図６（ａ）参照）において、「カラオケの演奏」のメニューが選択された場合について説明する。この場合、テキスト表示した情報ファイルのリンク情報に基づき、「カラオケの演奏」の情報ファイル（図示略）が実行される。これにより、図示しない選曲画面が表示される。この選曲画面において、操作パネル２６のテンキーより所望の曲番号を入力すると、「カラオケの演奏」の情報ファイルのアクション領域に記述されたリンク情報に基づき、当該選曲された曲を演奏するための情報ファイルが実行される。
【００４１】
すなわち、ＣＰＵ２２は、その情報ファイルのアクション領域に記述された情報を逐次解釈し、そのうちのＭＩＤＩ情報を楽音合成装置２７へ供給するとともに、歌詞情報を画像合成装置３２へ転送する。また、ＣＰＵ２２は、上記アクション領域に含まれる背景画像の指定コードを画像再生装置３１へ供給する。これにより、ＣＤ−ＲＯＭ３２から上記指定コードに対応した画像情報が読み出され、画像合成装置３２へ供給される。
【００４２】
これにより、楽音合成装置２７によって生成される楽音信号が、ミキサ２９においてマイク３０より入力される音声信号と合成された後、スピーカ３０より放音される一方、画像合成装置３２によって画像データと歌詞のフォント情報とが合成され、曲の進行に対応した映像と歌詞がディスプレイ３４に表示される。
【００４３】
（４）新譜紹介
次に、前述のメインメニュー画面（図６（ｂ）参照）において、「新譜紹介」のメニューが選択された場合について説明する。この場合、テキスト表示した情報ファイルのリンク情報に基づき、「新譜紹介」のテキスト情報を含む情報ファイル（図示略）が実行される。これにより、図９に示すような新譜紹介画面が表示される。
【００４４】
この新譜紹介画面では、曲のタイトル、アーティスト名、曲番号からなるテキスト情報が上下方向にスクロールして順次新譜が紹介される。また、この新譜情報とともに、スタートキーの押圧を案内するアイコンＩＣ５の他、紹介画面のタイトル、絵や写真等の画像情報が画面上の固定位置に表示される。
【００４５】
ここで、操作者がスタートキーを押圧すると、そのときにスタートキーのアイコンの左に表示されている新譜についての情報ファイルが実行され、その曲のカラオケの演奏が開始される。すなわち、新譜のテキスト情報は上下の方向に順次スクロールして行くが、新譜紹介の情報ファイルのアクション領域には、前述の「新製品紹介」の場合と同様、放映時間のタイムスロットと各曲の情報ファイルとの対応関係が時間管理情報（図２参照）として記述されている。
【００４６】
これにより、ＣＰＵ２２は、スタートキーの押圧タイミングがどのタイムスロットに属するかをタイマのカウント値に基づき検出し、そのタイムスロットに対応す曲の情報ファイルを実行する。この結果、スタートキーが押圧されたときにアイコンの左に表示されていた曲のカラオケ演奏が可能となる。カラオケ演奏の動作は前述と同様であるため説明を省略する。
【００４７】
（５）その他
また、前述のメインメニュー画面（図６参照）において、他のメニューが選択された場合についても、同様に選択されたメニューに対応する情報ファイルが実行され、操作者との対話形式による情報の提示が行われるが、ここでは簡単のため説明を省略する。
【００４８】
Ｃ：変更例
（１）なお、ユーザインタフェースとしては、画面に表示されたメニューアイコンをマウス等のポインティングデバイスで選択したり、あるいは、本実施例のような操作パネル２６のキー入力操作でカーソルを移動させてメニューを選択するなど、種々の形式が採用可能である。
【００４９】
（２）また、メニューの体系は上記実施例のものには限定されない。上記実施例では、「カラオケの演奏」を情報選択メニューの１つとして位置づけたが、これに限らず、例えば、メインメニューを「カラオケの演奏」と「情報の提示」の２つのメニューで構成するようにしてもよい。
【００５０】
（３）また、メニュー表示として、上記実施例では主に情報ファイルのテキストを用いたが、これに限らず、アイコンを用いるようにしてもよい。
【００５１】
【発明の効果】
以上説明したよう、に本発明によれば、操作者が入力操作をしたときに表示手段に表示されている情報に関連した情報ファイルが実行され、上記表示されていた情報に関連する情報がさらに提示されるので、画像や文字による情報の表示内容が時間とともに変化する場合において各時点で所望の情報を選択し入手することができる。
【図面の簡単な説明】
【図１】  この発明の一実施例による通信カラオケシステムの全体構成を示すブロック図である。
【図２】  同実施例の情報ファイル群に含まれる各種叙法情報を示す概念図である。
【図３】  同実施例の情報ファイルのフォーマットを示す図である。
【図４】  同実施例の情報ファイルのリンク構造の一例を示す図である。
【図５】  同実施例のカラオケ端末の構成を示すブロック図である。
【図６】  同実施例の動作を説明するための画面遷移図である。
【図７】  同実施例の動作を説明するための画面遷移図である。
【図８】  同実施例において表示される新製品情報画面の一例を示す図である。
【図９】  同実施例において表示される新譜紹介画面の一例を示す図である。
【符号の説明】
１……ホストコンピュータ、２……カラオケ端末、２１……通信インタフェース、２２……ＣＰＵ、２３……ＲＯＭ、２４……ハードディスク、２５……ＲＯＭ、２６……操作パネル、２７……楽音合成装置、２８……ミキサ、２９……マイク、３０……サウンドシステム、３１……音声デコーダ、３２……画像再生装置、３３……ＣＤ−ＲＯＭ、３４……画像合成装置、３５……ディスプレイ、３６……画像デコーダ、ＢＵＳ……バス、Ｎ……通信回線、ＳＰ……スピーカ。
【図１】
0004060996.tif 000002
【図２】
0004060996.tif 000003
【図３】
0004060996.tif 000004
【図４】
0004060996.tif 000005
【図５】
0004060996.tif 000006
【図６】
0004060996.tif 000007
【図７】
0004060996.tif 000008
【図８】
0004060996.tif 000009
【図９】
0004060996.tif 000010